(57)【要約】【課題】棚に加えて床や卓上にもユニットを設置でき、かつ、棚にユニットを設置して固定する際の手間を低減できるユニットの固定構造を提供する。【解決手段】固定構造１００は、ユニット１０の前面１０ａに取り付けられる固定具３０を備える。固定具３０は、正面視において固定具３０の一部がユニット１０の外側に位置する第１状態と、正面視において固定具３０の全体が前記ユニットの外側に位置しない第２状態とを変更可能である。ユニット１０がラック２０の収容部２１に収容されているとき、第１状態にある固定具３０の一部がラック２０の棚２２に固定されることにより、ユニット１０の前方への移動が規制される。【選択図】図１
2016171195.tif 000002
【特許請求の範囲】
【請求項１】
ユニットの前面に取り付けられる固定具を備え、
前記固定具は、当該固定具の一部が前記ユニットの面からはみ出した位置にある第１状態と、当該固定具の全体が前記ユニットの面に収まっている第２状態とを変更可能であり、
前記ユニットが筐体に収容されているとき、前記第１状態にある前記固定具の前記一部が前記筐体に固定されることにより、前記ユニットの前方への移動が規制されることを特徴とするユニットの固定構造。
【請求項２】
前記固定具は軸を中心に回動可能にユニットに取り付けられ、
前記固定具を回動させることにより、前記第１状態と前記第２状態とが変更されることを特徴とする請求項１に記載のユニットの固定構造。
【請求項３】
前記固定具は、前記ユニットを前面側に引き出すための指掛け部を有することを特徴とする請求項１または２に記載のユニットの固定構造。
【請求項４】
前記固定具は、第１本体部と、前記第１本体部から前記ユニットの前面側に張り出す第２本体部と、を含み、
前記第１本体部は、少なくとも前記第２状態にあるとき、前記ユニットの前面と隙間を介して対向し、前記指掛け部として機能することを特徴とする請求項３に記載のユニットの固定構造。
【発明の詳細な説明】
【技術分野】
【０００１】
本発明は、ユニットの固定構造に関する。
【背景技術】
【０００２】
電子機器のユニットを収容するラックが知られている。一般に、ユニットにはその背面にユニット側コネクタが設けられ、ラックの収容部にはユニット側コネクタに対応するラック側コネクタが設けられている。ユニットが収容部に収容されるとコネクタ同士が接続される。意図せずユニットが前方に移動して接続が外れるのを抑止するため、通常、ユニットはラックに固定される。従来では、金具を介してユニットをラックに固定する技術が提案されている（例えば特許文献１）。
【先行技術文献】
【特許文献】
【０００３】
【特許文献１】特開平８−１９９７２号公報
【発明の概要】
【発明が解決しようとする課題】
【０００４】
特許文献１に係る固定構造では、金具とラックとを接続し、さらに金具とユニットとを接続するため、取り付けの手間が比較的大きい。金具とユニットの前面とを一体にすることも考えられるが、この場合、ユニットから金具が突出するため、例えば単体で試験するべく床や卓上に設置すると金具が変形しうる。つまり、実質的にユニットを床や卓上に設置できなくなる。また、梱包しづらくなる。
【０００５】
本発明はこうした状況に鑑みてなされたものであり、その目的は、棚に加えて床や卓上にもユニットを設置でき、かつ、棚にユニットを設置して固定する際の手間を低減できるユニットの固定構造を提供することにある。
【課題を解決するための手段】
【０００６】
上記課題を解決するために、本発明のある態様のユニットの固定構造は、ユニットの前面に取り付けられる固定具を備える。固定具は、当該固定具の一部がユニットの面からはみ出した位置にある第１状態と、当該固定具の全体がユニットの面に収まっている第２状態とを変更可能であり、ユニットが筐体に収容されているとき、第１状態にある固定具の一部が筐体に固定されることにより、ユニットの前方への移動が規制される。
【０００７】
なお、以上の構成要素の任意の組み合わせや、本発明の構成要素や表現を方法、装置、システムなどの間で相互に置換したものもまた、本発明の態様として有効である。
【発明の効果】
【０００８】
本発明によれば、棚に加えて床や卓上にもユニットを設置でき、かつ、棚にユニットを設置して固定する際の手間を低減できるユニットの固定構造を提供できる。
【図面の簡単な説明】
【０００９】
【図１】実施の形態に係る固定構造を示す斜視図である。
【図２】実施の形態に係る固定構造を示す正面図である。
【図３】実施の形態に係る固定構造を示す側面図である。
【図４】実施の形態に係る固定構造を示す斜視図である。
【図５】実施の形態に係る固定構造を示す正面図である。
【図６】実施の形態に係る固定構造を示す側面図である。
【発明を実施するための形態】
【００１０】
以下、各図面に示される同一または同等の構成要素、部材には、同一の符号を付するものとし、適宜重複した説明は省略する。また、各図面における部材の寸法は、理解を容易にするために適宜拡大、縮小して示される。また、各図面において実施の形態を説明する上で重要ではない部材の一部は省略して表示する。
【００１１】
図１〜３は、実施の形態に係るユニット１０の固定構造１００を示す斜視図、正面図および側面図である。図１〜３には、ユニット１０が筐体としてのラック２０に設置されて固定されている様子が示される。図１、２では、天板２３および背板２４の表示は省略されている。図４〜６は、実施の形態に係るユニット１０の固定構造１００を示す斜視図、正面図および側面図である。図４〜６には、ユニット１０がラック２０に固定されていない状態、特に固定具３０が後述する第２状態にある様子が示される。図４〜６はそれぞれ、図１〜３に対応する。
【００１２】
ユニット１０は、所定の電子機器であり、略立方体状の所定の形状を有する。ユニット１０の前面１０ａには、後述するように固定具３０が取り付けられる。ユニット１０の背面１０ｂにはユニット側コネクタ１１が設けられる。このユニット側コネクタ１１とラック２０に設けられるラック側コネクタ２６とが接続されることにより、ユニット１０に電力等が供給される。また、背面１０ｂの下端側には、前面側に凹んだ凹部１２が形成されている。
【００１３】
ラック２０は、それぞれユニット１０が収容される複数の収容部を含む。各図では複数の収容部のうちの１つを示している。収容部２１は、棚２２と、天板２３と、背板２４と、側板（不図示）とで構成される。棚２２には、ユニット１０が載置される。背板２４には、ユニット側コネクタ１１と接続されるラック側コネクタ２６が設けられる。
【００１４】
棚２２には、ストッパ２５が設けられる。ストッパ２５は、前面側に突出する突出部２５ａを有する。収容部２１に収容するべくユニット１０を収容部２１に押し込むと、ユニット側コネクタ１１とラック側コネクタ２６とが接続されるタイミングでユニット１０の凹部１２にストッパ２５の突出部２５ａが嵌合してユニット１０が停止する。具体的には、凹部１２の底面に突出部２５ａの先端が突き当たることによってユニット１０が停止する。これにより、ユニット１０を容易に位置決めでき、ユニット側コネクタ１１とラック側コネクタ２６とを確実に接続できる。また、ユニット側コネクタ１１とラック側コネクタ２６とが衝突して故障するのが抑止される。
【００１５】
固定具３０は、本体部３６と、本体部３６をユニット１０に取り付ける取付部３７と、を含む。本体部３６は、側面視で略Ｌ字状の部材であり、第１本体部３１と、第２本体部３２と、を含む。取付部３７は、軸保持部３３と、回動軸３４と、フランジ３５と、を含む。第１本体部３１は、正面視で略矩形の板状に形成され、ユニット１０の前面１０ａに平行に配置される。第２本体部３２は、第１本体部３１の一端側からユニット１０の前面１０ａに向けて（すなわち後方に向けて）張り出す。
【００１６】
第２本体部３２には、回動軸３４を保持する軸保持部３３が固定されている。回動軸３４は軸保持部３３から後方に向けて延び、ユニット１０の前面１０ａに設けられた貫通孔（不図示）を挿通する。回動軸３４の後端側には、固定具３０がユニット１０から外れないように貫通孔の穴径よりも大径のフランジ３５が固定されている。固定具３０は、この回動軸３４を中心に、正面視で時計周りまたは反時計回りに回転する。つまり、固定具３０は、ユニット１０の前面１０ａに回動可能に取り付けられている。
【００１７】
回動軸３４を中心に固定具３０を回動することにより、第１本体部３１の一部がユニット１０の前面１０ａからはみ出した状態（以下、「第１状態」と呼ぶ）と、固定具３０の全体がユニット１０の前面１０ａに収まっている状態（以下、「第２状態」と呼ぶ）とに変更できる。
【００１８】
図１〜３では、第２本体部３２と反対側の第１本体部３１の部分３１ａがユニット１０の前面１０ａから下方にはみ出した状態（第１状態）が示される。別の言い方をすると、第１本体部３１の部分３１ａが第２本体部３２よりも下方に位置し、正面視した場合にその部分３１ａがユニット１０の前面１０ａよりも下方（外側）に位置する状態が示される。図４〜６では、固定具３０の全体がユニット１０の前面１０ａに収まっている状態（第２状態）が示される。別の言い方をすると、第１本体部３１の部分３１ａが、第２本体部３２よりも上方に位置し、正面視した場合に固定具３０の全体がユニット１０の前面１０ａの内側に位置する状態が示される。
【００１９】
固定具３０が第１状態にあるとき、第１本体部３１はユニット１０の前面１０ａと棚２２の前面２２ａの両方に対向する。このとき、図１〜３のように第２本体部３２をユニット１０の前面１０ａに当接させると、第１本体部３１と棚２２の前面２２ａとが当接する。あるいは第１本体部３１と棚２２の前面２２ａとが僅かな隙間を介して対向する。第１本体部３１に形成された挿通穴３１ｂにネジ４０を通し、そのネジ４０を棚２２の前面２２ａに形成されたネジ穴２２ｂに螺合させる。これによりユニット１０は、固定具３０を介して棚２２すなわちラック２０に固定され、ユニット１０の前方への移動が規制される。その結果、意図せずユニット側コネクタ１１とラック側コネクタ２６との接続が外れてしまうのが抑止される。
【００２０】
ユニット１０がラック２０に固定されていないとき、ユニット１０の前方側にいる作業者は、第１本体部３１のユニット１０側の面３１ｃに指を掛けて固定具３０ひいてはユニット１０を前方に引き出すことができる。特に、固定具３０が図４〜６の状態にあるときは第１本体部３１に指を掛けやすいため、容易にユニット１０を引き出すことができる。このように、第１本体部３１は、ユニット１０を引き出すときに指を掛ける指掛け部として機能する。
【００２１】
以上説明した実施の形態に係る固定構造１００によると、ユニット１０は固定具３０により棚２２に固定され、その前方への移動が規制される。この固定具３０は、ユニット１０の前面１０ａに、外れないよう取り付けられている。したがって、固定具３０をユニット１０に取り付ける作業が省けるため、ユニット１０を棚２２に設置して固定する際の手間が低減される。また、固定具３０は、回動軸３４を中心に回動するよう取り付けられている。そして、固定具３０を回動することにより、固定具３０を第２状態すなわち固定具３０がユニット１０の下面１０ｃを超えて下側に突出しない状態にできる。したがって、固定具３０が床や卓上に接触しないよう、すなわち固定具３０変形しないよう床や卓上にユニット１０を設置できる。このように、実施の形態に係る固定構造１００によると、ユニット１０を棚２２に加えて床や卓上にも設置でき、かつ、棚２２にユニット１０を設置して固定する際の手間を低減できる。
【００２２】
また、固定具３０がユニット１０に取り付けられているため、固定具３０をユニット１０に取り付けるためのネジが不要になる。また、固定具３０や固定具３０をユニット１０に取り付けるためのネジの紛失がなくなる。
【００２３】
また、実施の形態に係る固定構造１００によると、第１本体部３１は、ユニット１０を引き出すときに指を掛ける指掛け部として機能する。したがって、ユニット１０を引き出すための取っ手をユニット１０に別途設ける必要がなくなり、部品点数が削減される。
【００２４】
以上、実施の形態に固定構造の構成と動作について説明した。この実施の形態は例示であり、それらの各構成要素の組み合わせにいろいろな変形例が可能なこと、またそうした変形例も本発明の範囲にあることは当業者に理解されるところである。また、実施の形態同士の組み合わせも可能である。以下、変形例を示す。
【００２５】
（変形例１）
実施の形態では、第１本体部３１の一部がユニット１０の前面１０ａから下方にはみ出して棚２２の前面２２ａと固定される場合について説明したが、これに限られない。第１本体部３１の一部がユニット１０の前面１０ａから上方または側方にはみ出すよう固定具３０がユニット１０に取り付けられてもよい。この場合、第１本体部３１は、天板２３や側板に固定されてもよい。
【００２６】
（変形例２）
実施の形態では、固定具３０の本体部３６が側面視で略Ｌ字状の部材である場合について説明したがこれに限られない。固定具３０は、第１状態と第２状態とに変更でき、第１状態のあるときにラック２０すなわち筐体に固定できればよく、任意の形状が採用される。
【００２７】
請求項に記載の各構成要件が果たすべき機能は、実施の形態および変形例において示された各構成要素の単体もしくはそれらの連携によって実現されることも当業者には理解されるところである。
【符号の説明】
【００２８】
１０  ユニット、  ２０  ラック、  ２２  棚、  ３０  固定具、  ３１  第１本体部、  ３２  第２本体部、  １００  固定構造。
【図１】
2016171195.tif 000003
【図２】
2016171195.tif 000004
【図３】
2016171195.tif 000005
【図４】
2016171195.tif 000006
【図５】
2016171195.tif 000007
【図６】
2016171195.tif 000008